(57)【要約】【課題】  多量のイオンを混入させたスチームと美容液によるミストとを混合させて噴霧することができる簡易型構造をもつ美顔器を得る。【解決手段】  美顔器１は、水タンクからの水を加熱することでスチームを発生させるとともにこれに多量のイオンを含ませるイオンスチーム発生部１１と、複数の美容液のうちの少なくとも一つからミストを発生させてイオンスチームに混合させるミストイオンスチーム発生部２１と、イオンスチームまたはミストイオンスチームのいずれか一方を選択的に切り替えて肌表面に向けて噴射することができる噴出口６を備える。イオンスチーム発生部で生成されたイオンスチームを通過させる通路に切替手段１０を設け、これによりイオンスチームだけを噴射させる接続口とミストイオンスチーム発生部に送る接続口のいずれか一方に常にイオンスチームを送るように構成する。【選択図】図２
2007296284.tif 000002
【特許請求の範囲】
【請求項１】
水タンクからの水を加熱することでスチームを発生させるとともに、このスチームに多量のイオンを含ませるイオンスチーム発生部と、
複数種類の美容液のうちの少なくとも一つからミストを発生させ、前記イオンスチーム発生部からのイオンスチームに混合させるミストイオンスチーム発生部と、
前記イオンスチーム発生部からのイオンスチームまたは前記ミストイオンスチーム発生部からのミストイオンスチームのいずれか一方を選択的に切り替えて肌表面に向けて噴射することができる噴出口とを備えてなることを特徴とする美顔器。
【請求項２】
請求項１記載の美顔器において、
前記イオンスチーム発生部で生成されたイオンスチームを通過させる通路に切替手段を設け、
この切替手段によりイオンスチームだけを噴射させる接続口とミストイオンスチーム発生部に送る接続口のいずれか一方に常にイオンスチームを送るように構成したことを特徴とする美顔器。
【請求項３】
請求項１または請求項２記載の美顔器において、
複数種類の美容液は、それぞれが美容液容器に入れられ、可動可能な台座上に着脱可能な状態で搭載されるように構成されていることを特徴とする美顔器。
【請求項４】
請求項３記載の美顔器において、
ミストイオンスチーム発生部は、美容液容器のうちの少なくとも一つの美容液容器内の美容液をミスト化するように構成されていることを特徴とする美顔器。
【請求項５】
請求項３または請求項４記載の美顔器において、
美容液容器が搭載される台座は、回転操作可能な円盤であり、この円盤上に複数個の美容液容器が搭載可能に構成されていることを特徴とする美顔器。
【請求項６】
請求項３、請求項４または請求項５記載の美顔器において、
美容液容器は、台座上からレバー操作によって昇降動作可能に構成され、
ミストイオンスチーム発生部を構成する吸い込みノズルが着脱可能に連結されることを特徴とする美顔器。
【発明の詳細な説明】
【技術分野】
【０００１】  本発明は、スチーム噴霧、または美容液、化粧液等を混合することによりミストスチーム噴霧を行うことができる美顔器に関し、特に、マイナスイオン等のイオンを多量に含むイオンスチームを発生させ、またこれに美容液等を混合させてミストイオンスチームとして噴霧させることができる美顔器に関する。
【背景技術】
【０００２】  美顔器において、スチームを噴出するものが従来から知られている。
そのなかには、スチームだけを噴射させるもの、お湯に化粧効果のある植物やエキスを混ぜてスチームと共に噴射させるもの等がある（例えば、特許文献１参照）。【０００３】  一方、美顔器において、スチームにオゾンランプやコロナ放電等でオゾンを発生させてスチームと混合させてマイナスイオンを発生させ、イオンスチームを噴出させるものも知られている。
特に、マイナスイオンを含むスチームを噴出させるものには、一個のノズルを単純に備えたものや、複数個のノズルを備えたもの等があった。さらに、マイナスイオンを多量にスチームに含ませるために噴射ノズルの近くに発生装置を配置したりしたものもある（例えば、特許文献２参照）。【０００４】
【特許文献１】  特開２００２−２６３１６２
【特許文献２】  特開２００４−０１６５２３
【発明の開示】
【発明が解決しようとする課題】
【０００５】  しかし、特許文献１等の美顔器では、美容液の容器が一つなので、一種類のエキスだけしか使用できないという不便さがあった。また、高熱となるボイラに水以外のものを入れた場合にエキス等が直接接触するので、その残存物が焦げ付いたり、スチームになりきれなかったエキスの成分がボイラ内部に沈着し、長期間の使用に耐えることができない等の不具合があった。【０００６】  特許文献２等の美顔器において、単数のマイナスイオン発生装置を備えたものは、マイナスイオンの発生量が少なかったりするものであり、また複数個のマイナスイオン発生装置を備えたものは装置構造が複雑化するものであった。
さらに、このような美顔器は、マイナスイオンを含むスチームによって肌の新陳代謝を促進させ、肌の手入れ効果を促進させようとするものであるが、肌に対する美容効果は充分ではなかった。【０００７】  本発明はこのような事情に鑑みてなされたものであり、多量のイオンを混入させたスチームと、これに美容液によるミストとを混合させたミストイオンスチームを選択的に噴霧させることにより、美容効果を高めることができる簡易型構造による美顔器を得ることを目的とする。【０００８】  すなわち、本発明は、たとえばスチームを発生させる水を貯蔵するボイラと、複数の美容液を収納貯蔵する複数の美容液容器と、コロナ放電等を発生させるイオン発生装置等を備え、マイナスイオンを含むスチームを噴射させる噴出手段とマイナスイオンを含む美容液のミストスチームを噴射する噴出手段との二つを備え、マイナスイオンスチームを噴射させて肌の新陳代謝を高めた後、切替手段によって肌用の美容液を混合したミストイオンスチームを噴射させて美容効果を高めることが可能な美顔器を得ることを目的とする。
【課題を解決するための手段】
【０００９】  このような目的に応えるために本発明（請求項１記載の発明）に係る美顔器は、水タンクからの水を加熱することでスチームを発生させるとともに、このスチームに多量のイオンを含ませるイオンスチーム発生部と、複数種類の美容液のうちの少なくとも一つからミストを発生させ、前記イオンスチーム発生部からのイオンスチームに混合させるミストイオンスチーム発生部と、前記イオンスチーム発生部からのイオンスチームまたは前記ミストイオンスチーム発生部からのミストイオンスチームのいずれか一方を選択的に切り替えて肌表面に向けて噴射することができる噴出口を備えてなることを特徴とする。【００１０】  本発明（請求項２記載の発明）に係る美顔器は、請求項１記載の美顔器において、前記イオンスチーム発生部で生成されたイオンスチームを通過させる通路に切替手段を設け、この切替手段によりイオンスチームだけを噴射させる接続口とミストイオンスチーム発生部に送る接続口のいずれか一方に常にイオンスチームを送るように構成したことを特徴とする。【００１１】  本発明（請求項３記載の発明）に係る美顔器は、請求項１または請求項２記載の美顔器において、複数種類の美容液は、それぞれが美容液容器に入れられ、可動可能な台座上に着脱可能な状態で搭載されるように構成されていることを特徴とする。【００１２】  本発明（請求項４記載の発明）に係る美顔器は、請求項３記載の美顔器において、ミストイオンスチーム発生部は、美容液容器のうちの少なくとも一つの美容液容器内の美容液をミスト化するように構成されていることを特徴とする。【００１３】  本発明（請求項５記載の発明）に係る美顔器は、請求項３または請求項４記載の美顔器において、美容液容器が搭載される台座は、回転操作可能な円盤であり、この円盤上に複数個の美容液容器が搭載可能に構成されていることを特徴とする。【００１４】  本発明（請求項６記載の発明）に係る美顔器は、請求項３、請求項４または請求項５記載の美顔器において、美容液容器は、台座上からレバー操作によって昇降動作可能に構成され、ミストイオンスチーム発生部を構成する吸い込みノズルが着脱可能に連結されることを特徴とする。【００１５】  本発明によれば、イオンスチームの噴射と、複数種類（例えば４種類）の純粋ハーブ化粧液（美容液）のなかから任意に選択した一つまたは複数によるミストイオンスチームの噴射との二種類のスチームを簡単な切替操作によって切り替えて噴射することができるものであり、目的に応じた複数の美顔肌ケアを短時間で行うことができるのである。【００１６】  ここで、本発明による美顔器で使用する純粋ハーブ化粧品といった美容液は、たとえば化学合成品などの防腐剤、酸化防止剤を一切含まないハーブエキスを主体とした純粋な化粧液や化粧品であればよい。特に、このような純粋な化粧液は、有害な化学物質を含まないので、肌に優しく作用し、皮膚本来の再生、回復能力をサポートすることができる。
【発明の効果】
【００１７】  以上説明したように本発明に係る美顔器によれば、イオンスチームだけの噴射と、複数種類（例えば４種類）の純粋ハーブ化粧液のなかから任意に選択した一つまたは複数によるミストイオンスチームの噴射とを簡単な切替操作によって行えるから、目的に応じた複数の美顔肌ケアを短時間で行うことができるのである。【００１８】  特に、本発明によれば、マイナスイオンを含むスチームと複数種類の美容液（化粧液）をスチームに個別に混入させてスイッチの切替によって交互に顔面に噴霧させることにより、マイナスイオンと美容液との相乗効果で肌の手入れ効果を向上させることができるのである。【００１９】  また、本発明による美顔器によれば、複数個（例えば四個）の異なった純粋ハーブ化粧液容器を回転させ化粧液を選択しミストイオンスチームを顔面に噴霧することができるから、目的に応じた複数の美顔肌ケアを短時間で行うことができる。【００２０】  さらに、本発明による美顔器によれば、スチームにイオンを多量に混合させて蒸気粒子を微細にしたイオンスチームで細胞への浸透性を高め、目的にあった所要のケアを行うことができる。
【発明を実施するための最良の形態】
【００２１】  図１ないし図４は本発明に係る美顔器の一実施形態を示す。
これらの図において、全体を符号１で示す美顔器は、全体がほぼ二連円筒体形状を呈するケース２を備え、前部円筒部２ａの下側前部には、後述する四種類の純粋ハーブ化粧液等といった美容液を入れた美容液容器３を載せる容器回転台４が設けられるとともに、容器３を出し入れする開口５が形成されている。【００２２】    ここで、本発明による美顔器１で使用する純粋ハーブ化粧品といった美容液は、たとえば化学合成品などの防腐剤、酸化防止剤を一切含まないハーブエキスを主体とした純粋な化粧液や化粧品であることが望ましい。特に、このような純粋な化粧液は、有害な化学物質を含まないので、肌に優しく作用し、皮膚本来の再生、回復能力をサポートすることができるためである。【００２３】  また、前記ケース２の前部円筒部２ａの上部には、イオンスチーム、ミストイオンスチーム等のスチームを選択的に肌表面に向けて噴射させることができる噴出口６が設けられている。この噴出口６は、図６に示されるように、手動により上下方向に揺動動作可能に設けられ、スチームの噴射方向を任意に変更可能に構成されている。【００２４】  図１〜図４において符号７はケース２の後部円筒部２ｂ内に設けられたボイラであり、８で示す給水蓋を開けることで、スチームを作るための水をボイラ７内に給水可能に構成されている。そして、このボイラ７の背面側には、ヒータ９が設けられ、ボイラ７でお湯を瞬間的に沸かしてスチームを発生させることができるようになっている。すなわち、このようなボイラ７とヒータ９とによって、少量の水を短時間でスチームとして発生させることができるようになっている。
なお、図中２ｃはケース２の下部に設けた電源スイッチ、２ｄはイオンの発生と停止とを切替制御するための切替スイッチである。また、上記ヒータ９には、ヒータサーモスタット９ａが付設され、その温度制御を行うようになっている。【００２５】  １０は後述するように噴出口６から噴射されるスチームの種類（イオンスチーム、ミストイオンスチーム）を切替えるためのスチーム振り分け部としての切替機構、１０Ａはその切替手段である切替ダイヤルで、この切替ダイヤル１０Ａを回転操作することで、ケース２内部に設けたイオンスチーム発生部１１からのイオンスチームをイオンスチームのみを噴出させる出口通路１２及び１２ａと、ミストイオンスチーム発生部１０ｂに送る出口通路２２及び２２ａに振り分ける切替パッド４２及び４３を作動できるように構成されている。【００２６】  すなわち、イオンスチーム発生部１１は、ボイラ７内の水タンクからの水を加熱することでスチームを発生させたものにコロナ放電で多量のイオンを含ませることができるように構成されている。ここで、１３はイオン（ここではマイナスイオン）を発生させるためにスチーム導入路の左右に配置されるコロナ放電端子の端子挿入部、１４は高圧電流発生回路を設けた回路板、１５は電源コードである。【００２７】  このようにイオンスチーム発生部１１というのは、ボイラ７でお湯を沸かしてスチームを発生させ、スチームの通過導入路にコロナ放電を直接スチームに混入させることでマイナスイオンを発生させて混合させることであり、発生させたイオンスチームを切替機構１０内の通路を通過してイオンスチームノズル２５とミストイオンスチーム発生部１０ｂからそれぞれの種類のスチームを切換えて顔面に噴射させることができるのである。
なお、このようなイオン発生は、切替スイッチ２ｄのスイッチ操作で停止させることができる。【００２８】  なお、上述したボイラ７の上部には、図３に示すように、水タンクを構成するとともにスチーム発生時にスチーム逆流防止部１８が設けられている。
さらに、前記切替機構１０の下側には、スチームが滴下することで生じるスチーム水滴回収部１９が設けられるとともに、ケース２の下部には、余り水回収容器２０が設けられ、この余り水回収容器２０には、前記ボイラ７からの余り水も落下回収されるように構成されている。【００２９】  また、前記ミストイオンスチーム発生部１０ｂは、複数種類（ここでは四種類）の美容液のうちの少なくとも一つからミストを発生させ、前記イオンスチーム発生部１１からのイオンスチームに混合させるものであり、前記イオンスチーム発生部１１からの切替機構１０を介して導かれるイオンスチーム小径ノズル１０ｃから噴出されるスチームの噴出力によって、前記美容液容器３から美容液を導く通路２３の接続端ノズル２３ａを臨ませることで、美容液を吸い上げてミストとしてイオンスチームに混合することができるように構成されている。【００３０】  すなわち、容器３から導かれる美容液は、接続端ノズル２３ａ部分でイオンスチーム小径ノズル１０ｃからのスチームによって引き出されることによりミスト化されるものである。そして、このミストイオンスチームは、前記噴出口６に至る噴出通路に噴射され、噴射口６から噴霧されることになる。
なお、図中２６ａは噴射口６に至る噴出通路の下方に形成された美容液回収部、２６は美容液回収容器である。また、上述したミストイオンスチーム発生部１０ｂは適宜交換可能に構成されており、詰まりなどが生じないように適宜メンテナンスできるようになっている。【００３１】  ここで、上述した切替機構１０は、イオンスチーム発生部１１からのイオンスチームを機構内部の切替パッドによってイオンスチームのみの排出口１２とミストイオンスチーム発生部１０ｂへの排出口２２のいずれか一方を、前記噴出通路に接続させるように構成され、これにより常にいずれか一方の排出口１２，２２の接続通路１２ａ，２２ａが前記噴出通路に接続されるようになっている。【００３２】  また、前記４種類の美容液は、それぞれが美容液容器３に所定量ずつ入れられ、可動可能な台座である回転台４上に着脱可能な状態で載せられる。そして、ミストイオンスチーム発生部２１は、美容液容器３のうちの少なくとも一つの美容液容器３内の美容液をミスト化するようになっている。【００３３】  すなわち、美容液容器３が搭載される回転台４は、回転操作可能な円盤であり、この円盤上に四個の美容液容器３が搭載可能になっている。そして、美容液容器３は、台４上からレバー操作によって昇降動作可能に構成され、ミストイオンスチーム発生部１０ｂを構成する吸込ノズル３０が着脱可能に連結されるようになっている。なお、図中４ａは回転台４を指などで回転操作できるようにするノッチ部であり、これにより回転台４を開口５から指を差し込むことで、きわめて簡単に行える。【００３４】  これを詳述すると、３１は回転台４に付設された容器３の上下動機構部で、その操作レバー３２を上下方向に動作させることで、内部に設けた可動子３３が回転台４の容器搭載部に設けた上下可動台３４を上下動させるようになっている。【００３５】  また、回転台４上で上下可動台３４により上下動される美容液容器３と、その上部に臨む吸込ノズル３０とは、永久磁石とセンタリング手段とを用いることで所定の位置で結合可能に構成されている。すなわち、容器３の底部と上下可動台３４とに相対的に吸着可能な永久磁石３５ａ，３５ｂを設けている。これにより、容器３は上下可動台３４上の所定箇所（中心位置で）に固定される。また、円錐形状のノズル３０に対応する容器３側の嵌合部３０ａは、すり鉢状に形成され、これらがはまりこむことで、センタリングが行われ、容器３内とノズル３０とが結合されることになる。
一方、レバー３２を戻し操作すると、容器３が下降し、回転台４上に戻る。そして、この回転台４を再び回すと、次の容器３等をセットすることができる。【００３６】  ここで、図７は前述した切替機構１０の内部を拡大して示したものであり、ダイヤル１０Ａの回動動作により、ノブ４１が機構内部４４で回動し、切替パッド４２，４３の働きで通路切替が行われるようなバルブ構造をもつものであるが、ここでの詳細な説明は省略する。【００３７】  また、図６は上述した噴射ノズル（２５，１０ｃ）が切替機構１０の二つの排出口（１２，２２）と通路（１２ｂ、２２ｂ）に接続されることで、噴出口６への噴出通路に、イオンスチームまたはミストイオンスチームを噴射させるための部材を示すが、ここでの詳細な説明も省略する。【００３８】  ここで、本発明に係る美顔器１は、以下の特徴を備えているものである。
すなわち、その一つは、ボイラ７で瞬間的に沸騰させたスチームをスチームの通過導入路の途中でコロナ放電によりマイナスイオンを発生させてスチームに混入させマイナスイオンを含むスチームを発生させ、切替手段である切替機構１０を通過させて、このスチームだけを噴射する噴射通路からのノズル２５を備えて顔面に噴射させることができる第１の通路を備えていることである。換言すれば、この第１の通路は、マイナスイオンを混入したイオンスチームを噴射するノズルであると言える。【００３９】  もう一つは、マイナスイオンを混入したスチームを切替機構１０を通過して別の通路に導かれてミストイオンスチーム発生部１０ｂの小径ノズル１０ｃに達し、このスチームの噴出力で美容液を吸上げて吹き出すノズル２３ａに面して設けた美容液の吸水ノズル３０を備え、スチームの噴出力によって美容液を吸水ノズル３０から吸い上げて美容液のミストを、マイナスイオンスチームに混合して同時に噴射する第２の通路を備えていることである。この第２の通路は、マイナスイオンを含むスチームと化粧液のミストとを混合させて同時に噴射するノズルであると言える。【００４０】  以上の構成をもつ美顔器を用いた美容法は、以下の手順によって行われる。
まず、始めに洗顔を行った後、イオンスチームを顔に当て、その後、任意の美容液を選択して容器３に入れ、その美容液によるミストスチームを顔に当てる。
その後、顔面に純粋化粧液を塗布し、次いでイオンスチームを顔に当てて保湿した後、保湿クリームを塗るとよい。【００４１】  なお、上述したイオンスチームやミストイオンスチームのケアの前後に、ペーパーフェイスマスクや部分マスクを顔に貼ったり、化粧液を塗ってから顔に貼ったりすると、ゆっくりと化粧成分を顔面の細胞に浸透させるうえで効果的である。【００４２】  このようなペーパーフェイスマスクを用いる際の使い方は、以下の通りである。
始めに、ミストスチームで濡れた顔に貼ってさらにイオンスチームを浴びる。また、純粋ハーブ化粧液や化粧品を顔肌の一部や全体に塗ってからマスクを顔に貼り、イオンスチームを浴びる。【００４３】  次に、フェイスマスクに目的に応じて数種類の化粧液を部分的に塗ってから顔に貼ってイオンスチームやミストスチームを浴びる。このようにすれば、同時に複数の化粧成分を目的の皮膚細胞に浸透させることができる。【００４４】  また、部分マスクに化粧液や化粧品を塗って顔に貼り、ミストスチームやイオンスチームを浴びる。そして、いずれの場合にもスチームを浴びた後に一定時間フェイスマスクを貼ったままにして、化粧成分を細胞にゆっくり浸透させるとよい。【００４５】  上述したような美顔器１によれば、イオンスチームだけの噴射と、４種類の純粋ハーブ化粧液等の美容液のなかから任意に選択した一つによるミストイオンスチームの噴射とを簡単な切替操作によって行えるから、目的に応じた複数の美顔肌ケアを短時間で行うことができるのである。特に、このような美顔器１では、マイナスイオンを含むスチームと複数種類の美容液をスチームに個別に混入させてスイッチの切替によって交互に顔面に噴霧させることにより、マイナスイオンと美容液との相乗効果で肌の手入れ効果を向上させることができるのである。【００４６】  また、このような美顔器１によれば、四個の異なった純粋ハーブ化粧液容器を回転させ化粧液を選択しミストイオンスチームを顔面に噴霧することができるから、目的に応じた複数の美顔肌ケアを短時間で行うことができるのである。さらに、このような美顔器１によれば、スチームにイオンを多量に混合させて蒸気粒子を微細にしたイオンスチームで細胞への浸透性を高め、目的にあった所要のケアを行うことができる。【００４７】  なお、本発明は上述した実施形態で説明した構造には限定されず、美顔器１を構成する各部の形状、構造等を適宜変形、変更し得ることはいうまでもない。
たとえば上述した実施形態では、４個の美容器容器３を回転台４に載せ、その任意の一つをミスト化する場合を説明したが、本発明はこれに限らず、複数個の容器３を載せる回転台４であればよく、また複数の容器３の美容液を混合してミスト化するような構成であってもよい。【００４８】  また、上述した実施形態では、イオンとしてマイナスイオンをスチーム中に含ませるように構成した場合を説明したが、これに限らず、プラスイオンを含ませるように構成してもよい。【００４９】  また、本発明で使用する純粋ハーブ化粧品等の美容液は、防腐剤、酸化防止剤を含まない純粋なものであるから、その品質を一定期間維持できるように冷温貯蔵庫などで保冷保存することが望ましい。このような冷温貯蔵庫を用いると、図８（ａ），（ｂ）に示すように、スチームケアの後に肌を冷やして毛穴を引き締める皮膚冷却器５０も冷やしておける等の利点がある。ここで、図中５１は皮膚冷却器ツマミ、５２は金属冷却部である。
【図面の簡単な説明】
【００５０】
【図１】  本発明に係る美顔器の一実施形態を示し、（ａ）は美顔器全体の外観を示す斜視図、（ｂ）はその一部を破断して示す概略斜視図である。
【図２】  本発明に係る美顔器の要部を断面した概略断面図である。
【図３】  （ａ），（ｂ）は本発明に係る美顔器においてボイラ部等を説明するための概略分解斜視図である。
【図４】  （ａ），（ｂ）は本発明に係る美顔器におけるケース内部を説明するための概略斜視図およびその容器回転台を説明するための図である。
【図５】  （ａ），（ｂ）は本発明に係る美顔器において容器を上下動するための機構を説明するための概略断面図とその要部斜視図である。
【図６】  本発明に係る美顔器におけるスチーム接続口の構造を説明するための概略分解斜視図である。
【図７】  本発明に係る美顔器においてスチーム切替機構を説明するための概略斜視図である。
【図８】  （ａ），（ｂ）は本発明に係る美顔器によるスチームケアの後に用いる皮膚冷却器を示す概略斜視図およびその側面図である。
【符号の説明】
【００５１】  １…美顔器、２…ケース、３…美容液容器、４…容器回転台、５…開口、６…噴出口、７…ボイラ、８…給水蓋、９ヒータ、１０…切替機構（スチーム振り分け部）、１０Ａ…切替ダイヤル、１０ｂ…ミストイオンスチーム発生部、１０ｃ…イオンスチーム小径ノズル（噴射ノズル）、１１…イオンスチーム発生部、１２，１２ａ…出口通路（排出口と接続通路）、１３…コロナ放電端子挿入部、１６…スチームノズル、２１…ミストイオンスチーム発生部、２２，２２ａ…出口通路排出口と接続通路）、２３…美容液導入通路、２３ａ…接続端ノズル、２５…イオンスチームノズル（噴射ノズル）、３０…吸込ノズル、３１…容器上下動機構部、４２，４３…切替パッド。
【図１】
2007296284.tif 000003
【図２】
2007296284.tif 000004
【図３】
2007296284.tif 000005
【図４】
2007296284.tif 000006
【図５】
2007296284.tif 000007
【図６】
2007296284.tif 000008
【図７】
2007296284.tif 000009
【図８】
2007296284.tif 000010